(57)【要約】【課題】現用のスタンパに付設することにより、縦又は横方向に印字が傾くことなく連続して正確に押印できる押印補助具を提供する。【解決手段】印字の上位置を示す凸条４が外周面に長手方向に沿って設けられたスタンパ２に付設する押印補助具１であって、前記スタンパ２が挿入される孔６を有し、少なくとも平行に対向している１対の平面５ａ，５ａが外周に設けられているとともに、前記孔６内に前記凸条４が挿入できる孔７ａが長手方向に沿って設けられているケース体５と、書面の前記スタンパ２による押印個所上に載置されるとともに、前記ケース体５が嵌入されて前記１対の平面５ａ，５ａが両側縁１０ａ，１０ａに摺接して平行移動可能なスリット１０が設けられたガイド体９と、から構成した。【選択図】図１
0003128842.tif 000002
【実用新案登録請求の範囲】
【請求項１】
印字の上位置を示す凸条が外周面に長手方向に沿って設けられたスタンパに付設する押印補助具であって、
前記スタンパが挿入される孔を有し、少なくとも平行に対向している１対の平面が外周に設けられているとともに、前記孔内に前記凸条が挿入できる孔が長手方向に沿って設けられているケース体と、
書面の前記スタンパによる押印個所上に載置されるとともに、前記ケース体が嵌入されて前記１対の平面が両側縁に摺接して平行移動可能なスリットが設けられたガイド体と、
から構成されていることを特徴とする押印補助具。
【考案の詳細な説明】
【技術分野】
【０００１】
本考案は、押印場所に印字が傾くことなく連続して正確に押印できるよう、押印時にスタンパに付設する押印補助具に関するものである。
【背景技術】
【０００２】
所謂シャチハタ系スタンパ等には、天（印字の上位置）を表示する凸部が形成されている。しかし、押印する際には、印字が左右に傾きやすい。この傾向は連続して押印する場合に顕著である。また、学校の教師が通知表を作成する際に、数字又は欧文字を評価欄に印字する。その場合、所望の数字（又は欧文字）が用意された連続スタンパを用いて、例えば縦方向に幾つも押印していくと、印字の左右の傾きが顕著になる。
【０００３】
そこで、押印場所に印字が傾くことなく正確に押印できるよう、スタンパに付設する押印補助具が提案されている。例えば、特開２００４−３３０４９３号公報に記載の押印補助具は、二つの腕部に各々長さ方向に細長いスリットを有し、かつ屈折部が直角をなすＬ字型定規２枚を、内側に印鑑を挿入して保持するための、正方形又は長方形の空間を形成するように２箇所で交差させ、該交差部を締着機構により緊緩自在に定着してなるものである。（特許文献１参照）
【特許文献１】特開２００４−３３０４９３号公報
【考案の開示】
【考案が解決しようとする課題】
【０００４】
しかし、特許文献１に記載の押印補助具は、２枚のＬ字型定規の内側に形成される正方形又は長方形の空間に印鑑を挿入して保持し、Ｌ字型定規の腕部を押印する書類の文字列などに平行又は直交するように配置した後、印鑑を下方に押し付けて押印を行う。そのため、前記押印補助具は、縦又は横方向に連続して押印する場合に、押印位置を隣に変える度に押印補助具の位置合わせが必要で、押印作業に時間がかかってしまうため改善が望まれていた。
【０００５】
本考案は、現用のスタンパに付設することにより、縦又は横方向に印字が傾くことなく連続して正確に押印できる押印補助具を提供するものである。
【課題を解決するための手段】
【０００６】
上記課題を解決するために、請求項１記載の考案は、印字の上位置を示す凸条が外周面に長手方向に沿って設けられたスタンパに付設する押印補助具であって、前記スタンパが挿入される孔を有し、少なくとも平行に対向している１対の平面が外周に設けられているとともに、前記孔内に前記凸条が挿入できる孔が長手方向に沿って設けられているケース体と、書面の前記スタンパによる押印個所上に載置されるとともに、前記ケース体が嵌入されて前記１対の平面が両側縁に摺接して平行移動可能なスリットが設けられたガイド体と、から構成されていることを特徴とする押印補助具である。
【考案の効果】
【０００７】
本考案の押印補助具によれば、現用のスタンパに付設することにより、縦又は横方向に印字が傾くことなく連続して正確に押印できる。
【考案を実施するための最良の形態】
【０００８】
以下、図面に基づいて本考案の実施の形態を説明する。
【実施例】
【０００９】
図１は、本考案に係る押印補助具の使用例の斜視図、図２は、図１のＡ−Ａ断面図、図３は、図１の押印補助具を構成する第１例のケース体にスタンパを装着した状態を示す斜視図、図４は、図３のケース体とスタンパの分解斜視図、図５（ａ）は、第１例のケース体の平面図、図５（ｂ）は、図５（ａ）のＢ−Ｂ断面図である。
【００１０】
図１〜図５において、押印補助具１は、例えば、第１例のケース体５とガイド体９とを組み合わせて構成され、以下に説明するスタンパ２に付設して使用される。
【００１１】
本考案が適用されるスタンパ２は、連続して押印できるシャチハタ系スタンパで、下側部分２ａの径が残りの上側部分２ｂの径より一回り細く形成され、途中に段差面２ｃを有している。そして、スタンパ２は、下側部分２ａの下端２ｄに印面２ｅを突出させて押印できる。また、スタンパ２は、印字の書体を示すマーク３が上面に設けられているとともに、印字の上位置を示す細長い平面４ａ及び凸条４が外周面に長手方向の同一直線上に沿って設けられている。
【００１２】
押印補助具１を構成するケース体５は、スタンパ２が挿入される孔６を有し、断面が正方形をした四角の筒体である。ケース体５の孔６は、上側部分６ａの内壁にスタンパ２の凸条４が嵌入できる所定長さの長孔７ａが開口部８から長手方向に沿って設けられている。そして、孔６の下側部分６ｂの径は、残りの上側部分６ａの径より一回り細く形成されて、途中の孔内に段差面６ｃを有している。また、ケース体５の外周（側部）に設けられた平面５ａと、平面５ａに直角な平面５ｂには、押印される印字の縦横の中心位置を示す基準線（溝または印刷線）Ｍが、軸方向に沿って設けられている。
【００１３】
押印補助具１を構成するガイド体９は、長手方向の側縁１０ａ，１０ａが平行で、短長手方向の側縁１０ｂ，１０ｂが側縁１０ａに直角な細長いスリット１０の設けられた板体で形成されている。そして、ガイド体９は、スリット１０内にケース体５が嵌入されて、ケース体５の平面５ａ，５ａ又は５ｂ，５ｂをスリット１０の平行な側縁１０ａに摺接させながら平行移動させることができる。
【００１４】
次に、本考案に係る押印補助具１を使用して連続的に押印する場合の手順について説明する。
【００１５】
先ず、ガイド体９は、書面上に載置され、スタンパ２による書面の押印個所上にスリット１０の位置が一致するように配置される。次に、ケース体５がスリット１０に挿入される。ケース体５は、１対の平面５ｂ，５ｂが平行に対向して外周に設けられているので、スリット１０の両側縁１０ａ，１０ａに近接して配置されると平行移動可能である。また、ケース体５は、平面５ａ，５ｂに設けられている基準線Ｍの位置を押印個所に一致させて配置される。その後、スタンパ２が、下側部分２ａからケース体５の孔６に挿入され、また、その凸条４が長孔７ａに嵌入される。このようにケース体５にスタンパ２が装着された状態において、スタンパ２は、ケース体５が書面上に載置されているので、下側部分２ａの下端部２ｄが書面に当接して、全体を支持する。
【００１６】
図１に示すようにスタンパ２をケース体５に装着した状態において、ケース体５とスタンパ２同士は、互いの段差面２ｃと６ｃとの間、及び長孔７ａと凸条４との間に一定の隙間が生じているので、スタンパ２を上下動させて、ケース体５をスリット１０内で平行移動させることで、縦方向に連続的に押印することができる。この場合、ケース体５は、平面５ａ，５ｂに設けられている基準線Ｍの位置を押印個所に一致させているので、書面の正確な押印位置に押印がなされる。
【００１７】
次に、書面の横方向の押印個所に押印する場合は、ガイド体９のスリット１０を横方向の押印個所上に一致させて、平行に対向してケース体５の外周に設けられている１対の平面５ａ，５ａをスリット１０の両側縁１０ａ，１０ａに近接して平行移動可能に配置し、以下同様に、スタンパ２をケース体５に装着した状態で上下動させて、ケース体５を平行移動させることで、横方向にも連続的に押印することができる。
【００１８】
なお、ケース体５にスタンパ２を装着した状態では、互いの段差面２ｃ、６ｃが当接して抜け止めされてケース体５からスタンパ２が抜け落ちにくいので、ケース体５をスリット１０に挿入する際に、予めスタンパ２をケース体５に装着しておいてから、スリット１０に挿入しても差し支えない。
【００１９】
次に、押印補助具１を構成するケース体の他の例について説明する。図６は、ケース体の第２例の斜視図、図７は、ケース体の第３例の斜視図、図８は、ケース体の第４例の斜視図である。
【００２０】
図６〜図８において、第２例〜第４例の各ケース体１５，２５，３５は、孔６の形状が第１例のケース体５と同じであり、外観の形状が異なっているだけなので、ここでは、第２例〜第４例の各ケース体１５，２５，３５について、孔６内の構成についての説明を省略する。
【００２１】
図６において、第２例のケース体１５は、断面が正方形をした四角の筒体１６の上に、同軸に円筒体１７が一体的に接合された形状である。そして、円筒体１７は、四角の筒体１６の外周（側部）の平面１６ａに隣接する外周にスタンパ２の凸条４が嵌入できる所定長さの長孔１７ａが、開口部１８から長手方向に沿って設けられている。また、ケース体１５の平面１６ａと、平面１６ａに直角な平面１６ｂには、押印される印字の縦横の中心位置を示す基準線（溝または印刷線）Ｍが設けられている。
【００２２】
図７において、第３例のケース体２５は、断面が各角部を円弧形とした略四角の筒体２５である。そして、外周（側部）の平面２５ａにスタンパ２の凸条４が嵌入できる所定長さの長孔２７ａが、開口部２８から長手方向に沿って設けられている。また、ケース体２５の平面２５ａと、平面２５ａに直角な平面２５ｂには、押印される印字の縦横の中心位置を示す基準線（溝または印刷線）Ｍが設けられている。
【００２３】
図８において、第４例のケース体３５の外周（側部）は、１対の平面３５ａ，３５ａと、１対の円弧面３５ｂがそれぞれ対向し、断面が長円形をした長円の筒体である。そして、一方の円弧面３５ｂにスタンパ２の凸条４が嵌入できる所定長さの長孔３７ａが開口部３８から長手方向に沿って設けられている。ケース体３５の平面３５ａ，３５ａは平行であり、また、平面３５ａ，円弧面３５ｂには、押印される印字の縦横の中心位置を示す基準線（溝または印刷線）Ｍが設けられている。
【００２４】
前記した第２例〜第４例の各ケース体１５，２５，３５は、ガイド体９と組み合わせて押印補助具１を構成するものであり、それぞれスタンパ２を装着してガイド体９のスリット１０内に嵌入されて、スリット１０内を平行移動させながら縦又は横方向に連続して押印することができる。第２例〜第３例の各ケース体１５，２５にスタンパ２を装着してガイド体９を使用して連続的に押印する場合の手順は、前記した第１例のケース体５の場合と同じであるので、その説明は省略する。また、第４例のケース体３５は、平行に対向して外周に設けられている平面が１対であるので、連続的に押印することができるが、横方向又は縦方向のいずれかの方向に限定される。
【００２５】
なお、ガイド体は、書面上に載置してスリットを押印個所に一致させる必要があるので、ガイド体を透過して書面上の押印個所周辺の印刷された線や文字等に一致させ易いように、アクリル樹脂のような透明な素材により形成するのが望ましい。
【図面の簡単な説明】
【００２６】
【図１】本考案に係る押印補助具の使用例の斜視図である。
【図２】図１のＡ−Ａ断面図である。
【図３】図１の押印補助具を構成する第１例のケース体にスタンパを装着した状態を示す斜視図である。
【図４】図３のケース体とスタンパの分解斜視図である。
【図５】（ａ）は、本考案に係る押印補助具を構成するケース体の平面図、（ｂ）は、図５（ａ）のＢ−Ｂ断面図である。
【図６】ケース体の第２例の斜視図である。
【図７】ケース体の第３例の斜視図である。
【図８】ケース体の第４例の斜視図である。
【符号の説明】
【００２７】
１  押印補助具
２  スタンパ
２ａ  下側先端部分
２ｂ  上側部分
２ｃ，６ｃ  段差面
２ｄ  下端部
２ｅ  印面
３  マーク
４  凸条
４ａ  細長い平面
５，１５，２５，３５  ケース体
５ａ，５ｂ，１６ａ，１６ｂ，２５ａ，２５ｂ，３５ａ  平面
６  孔
６ａ  上側部分
６ｂ  下側部分
７ａ，１７ａ，２７ａ、３７ａ  長孔
８，１８，２８，３８  開口部
９  ガイド体
１０  スリット
１０ａ  側縁
３５ｂ  円弧面
Ｍ  基準線
【図１】
0003128842.tif 000003
【図２】
0003128842.tif 000004
【図３】
0003128842.tif 000005
【図４】
0003128842.tif 000006
【図５】
0003128842.tif 000007
【図６】
0003128842.tif 000008
【図７】
0003128842.tif 000009
【図８】
0003128842.tif 000010